(57)【要約】【課題】換気効率を高めかつ利用者の快適性を確保することができる浴室出入り口用の建具を提供すること。【解決手段】第１上枠２１と第２上枠２２との隙間で構成される第１上部領域５Ｃおよび第２上部領域の少なくとも一方に換気経路２４が形成されるので、上枠２の位置において浴室と脱衣室との換気を実施することができ、浴室に取り込んだ空気が利用者に直接当たることを防止して快適性を確保することができる。そして、必要に応じて第１上部領域５Ｃおよび第２上部領域の両方に換気経路２４を形成すれば、上枠２の長手方向略全長を利用して換気することができ、容易に換気効率を高めることができる。【選択図】図４
2008231664.tif 000002
【特許請求の範囲】
【請求項１】
上枠、下枠および左右の縦枠を四周枠組みした枠体と、この枠体に開閉可能に支持された少なくとも１枚の面材とを備え、浴室と脱衣室との出入り口に用いられる建具であって、
前記枠体には、前記上枠と下枠とに渡って上下に延びる縦骨が架設され、前記上枠は、建物側に支持される第１上枠と、この第１上枠との間に隙間を介して設けられて前記面材を案内する第２上枠とを有して構成され、前記縦骨の上端部が前記第１上枠に連結されるとともに、前記第２上枠の中間部が前記縦骨に連結されており、
前記左右の縦枠のうちの一方の縦枠、前記下枠、前記縦骨、および前記第２上枠で囲まれた第１下部領域が前記面材を開放した際の出入り用開口部とされ、
前記左右の縦枠のうちの他方の縦枠、前記下枠、前記縦骨、および前記第２上枠で囲まれた第２下部領域には、浴室と脱衣室とを仕切るパネル材が設けられるとともに、このパネル材よりも脱衣室側に前記開放した面材を収納する面材収納部が形成され、
前記左右の縦枠のうちの一方の縦枠、前記第２上枠、前記縦骨、および前記第１上枠で囲まれた第１上部領域と、他方の縦枠、前記第２上枠、前記縦骨、および前記第１上枠で囲まれた第２上部領域とのうち、少なくとも１つの上部領域に浴室と脱衣室とを連通させて換気する換気経路が形成されている建具。
【請求項２】
前記第１上枠の浴室側には、当該第１上枠の略全長に沿って第３上枠が取り付けられ、この第３上枠には、前記第２上枠の浴室側側面に所定の隙間を介して対向する垂下片が設けられ、この垂下片と前記第２上枠との隙間に前記換気経路が延長されかつ当該換気経路の浴室側開口が下向きに形成されている請求項１に記載の建具。
【請求項３】
前記縦骨の脱衣室側側面と前記第２上枠の浴室側側面とが浴室側からのビスで固定され、前記縦骨の浴室側側面には、前記ビスを挿通させる挿通孔が形成されるとともに、この挿通孔を閉塞する閉塞部材が取り付けられ、この閉塞部材の浴室側が前記第３上枠の垂下片で覆われている請求項２に記載の建具。
【請求項４】
前記第２下部領域に設けられるパネル材の上端縁は、前記第２上枠に取り付けられた保持部材で保持され、
前記保持部材は、
下方に開口して前記パネル材の上端縁を保持するパネル保持部と、前記第２上枠に係止される被係止部とを有するとともに、前記第２上部領域を換気経路とする第１保持部材か、
または
下方に開口して前記パネル材の上端縁を保持するパネル保持部と、前記第２上枠に係止される被係止部と、前記パネル保持部から上方に延びて前記第２上部領域を塞ぐ閉塞片とを有した第２保持部材か
のいずれかで構成される請求項１から請求項３のいずれかに記載の建具。
【請求項５】
前記面材が、上框、下框および左右の縦框を四周框組みした障子枠に半透明または透明な板材を取り付けて構成される障子であり、
前記第２下部領域に設けられる前記パネル材が半透明または透明な板材を有して構成されている請求項１から請求項４のいずれかに記載の建具。
【発明の詳細な説明】
【技術分野】
【０００１】
本発明は、浴室と脱衣室との出入り口に用いられる建具に関する。
【背景技術】
【０００２】
浴室出入り口用の建具として、建具枠と障子とを備え、障子が片引き形式に開閉可能に支持された片引き戸が提案されている（例えば、特許文献１参照）。
特許文献１に記載された片引き戸では、建具枠における左右の縦枠のうち、障子の戸先框が当接する側の縦枠が中空状に形成され、この中空空間が浴室と脱衣室とを連通させる連通経路とされている。この連通経路により、障子を閉じていても脱衣室からの空気を浴室に取り込み、浴室の換気ができるようになっている。
【０００３】
【特許文献１】特開２００６−２１４１７４号公報
【発明の開示】
【発明が解決しようとする課題】
【０００４】
しかしながら、特許文献１の片引き戸では、縦枠の長手方向の略全長に渡って連通経路が形成されているために、浴室の洗い場を利用している利用者に取り込んだ冷気が当たり、不快感を与えてしまう可能性がある。このため、例えば連通経路のうちの下部を塞いでしまうことも考えられるが、そのようにすると十分な換気量が得られなくなってしまい不都合が生じる。さらに、浴室で使用する水が縦枠にかかることがあり、連通経路に入り込んだ水が脱衣室側に到達しないようにするためには、連通経路の断面形状を複雑な形態にする必要があり、空気抵抗が大きくなって換気効率を高めにくいことから、前述のように連通経路の縦枠に沿った長さ寸法を容易に短くすることが困難である。
【０００５】
本発明の目的は、換気効率を高めかつ利用者の快適性を確保することができる浴室出入り口用の建具を提供することにある。
【課題を解決するための手段】
【０００６】
本発明の建具は、上枠、下枠および左右の縦枠を四周枠組みした枠体と、この枠体に開閉可能に支持された少なくとも１枚の面材とを備え、浴室と脱衣室との出入り口に用いられる建具であって、前記枠体には、前記上枠と下枠とに渡って上下に延びる縦骨が架設され、前記上枠は、建物側に支持される第１上枠と、この第１上枠との間に隙間を介して設けられて前記面材を案内する第２上枠とを有して構成され、前記縦骨の上端部が前記第１上枠に連結されるとともに、前記第２上枠の中間部が前記縦骨に連結されており、前記左右の縦枠のうちの一方の縦枠、前記下枠、前記縦骨、および前記第２上枠で囲まれた第１下部領域が前記面材を開放した際の出入り用開口部とされ、前記左右の縦枠のうちの他方の縦枠、前記下枠、前記縦骨、および前記第２上枠で囲まれた第２下部領域には、浴室と脱衣室とを仕切るパネル材が設けられるとともに、このパネル材よりも脱衣室側に前記開放した面材を収納する面材収納部が形成され、前記左右の縦枠のうちの一方の縦枠、前記第２上枠、前記縦骨、および前記第１上枠で囲まれた第１上部領域と、他方の縦枠、前記第２上枠、前記縦骨、および前記第１上枠で囲まれた第２上部領域とのうち、少なくとも１つの上部領域に浴室と脱衣室とを連通させて換気する換気経路が形成されていることを特徴とする。
【０００７】
ここで、面材としては、四周框組みした内部にパネルを取り付けた障子であってもよく、また板状の部材から構成されたものでもよい。さらに、面材は、１枚で構成されてもよく、２枚以上の複数枚で構成されてもよい。
このような本発明によれば、第１上枠と第２上枠との２部材間に隙間を有した上枠を構成するとともに、前記隙間で構成される第１上部領域および第２上部領域のうちの少なくとも一方を換気経路としたことで、上枠位置において浴室と脱衣室との換気を実施することができ、浴室に取り込んだ空気が利用者に直接当たることを防止して快適性を確保することができる。そして、必要に応じて第１上部領域および第２上部領域の両方を換気経路とすれば、上枠の長手方向略全長を利用して換気することができ、換気効率を高めることができる。さらに、上枠位置に換気経路を設けたことで、縦枠と比較して浴室内の水がかかる可能性が低くなることから、脱衣室側への水の到達を阻止するために換気経路を複雑な形態にする必要がなくなり、比較的単純な換気経路の内部構造が採用でき、換気効率を一層向上させることができる。
また、面材を案内する第２上枠の中間部を縦骨に連結したことで、第２上枠の強度および剛性を確保することができ、２部材に分割した上枠の機能を維持することができる。つまり、第２下部領域に設けるパネル材を支持したり、面材の開閉移動を案内したりなどの第２上枠に要求される機能を確保することができる。
【０００８】
この際、本発明の建具では、前記第１上枠の浴室側には、当該第１上枠の略全長に沿って第３上枠が取り付けられ、この第３上枠には、前記第２上枠の浴室側側面に所定の隙間を介して対向する垂下片が設けられ、この垂下片と前記第２上枠との隙間に前記換気経路が延長されかつ当該換気経路の浴室側開口が下向きに形成されていることが好ましい。
このような構成によれば、第１上枠に取り付けた第３上枠の垂下片によって、換気経路の浴室側開口を下向きに形成することで、浴室側に取り込む空気を下向きに（つまり面材に沿って）流入させ、利用者に直接当たらないようにでき、快適性をさらに向上させることができる。また、換気経路の浴室側開口が下向きに形成されることで、浴室側から見た場合に換気経路が垂下片によって覆われることになり、換気経路への水の浸入が防止できるとともに、利用者から換気経路が見えないことで建具の意匠性が良好にできる。
【０００９】
また、本発明の建具では、前記縦骨の脱衣室側側面と前記第２上枠の浴室側側面とが浴室側からのビスで固定され、前記縦骨の浴室側側面には、前記ビスを挿通させる挿通孔が形成されるとともに、この挿通孔を閉塞する閉塞部材が取り付けられ、この閉塞部材の浴室側が前記第３上枠の垂下片で覆われていることが好ましい。
このような構成によれば、縦骨と第２上枠とを浴室側からのビスで固定することで、枠体の組み立ておよび建て込み作業が容易にでき、作業性を向上させることができる。さらに、ビスを挿通させる挿通孔を閉塞部材で閉塞することで、止水性を確保することができるとともに、この閉塞部材を第３上枠の垂下片で覆うことで、建具の意匠性を向上させることができる。
【００１０】
さらに、本発明の建具では、前記第２下部領域に設けられるパネル材の上端縁は、前記第２上枠に取り付けられた保持部材で保持され、前記保持部材は、下方に開口して前記パネル材の上端縁を保持するパネル保持部と、前記第２上枠に係止される被係止部とを有するとともに、前記第２上部領域を換気経路とする第１保持部材か、または下方に開口して前記パネル材の上端縁を保持するパネル保持部と、前記第２上枠に係止される被係止部と、前記パネル保持部から上方に延びて前記第２上部領域を塞ぐ閉塞片とを有した第２保持部材かのいずれかで構成されることが好ましい。
このような構成によれば、閉塞片を有さない第１保持部材および閉塞片を有する第２保持部材の２種類の保持部材を用意しておき、第２上部領域を換気経路として利用する場合には第１保持部材を第２上枠に取り付け、第２上部領域を換気経路として利用しない場合には第２保持部材を第２上枠に取り付けるようにすればよい。従って、第１保持部材または第２保持部材を選択するだけで、第２上部領域を換気経路として利用するか否かの設計変更に容易に対応することができる。この際、第２保持部材から閉塞片を切り落としたものを第１保持部材として利用してもよく、このようにすれば、部品点数の増加を招くことなく、設計変更に対応できるとともに、建具の建て込み段階における変更の要求にも対応することが可能となる。
【００１１】
また、本発明の建具では、前記面材が、上框、下框および左右の縦框を四周框組みした障子枠に半透明または透明な板材を取り付けて構成される障子であり、前記第２下部領域に設けられる前記パネル材が半透明または透明な板材を有して構成されていることが好ましい。
このような構成によれば、面材である障子と、面材収納部のパネル材とがともに半透明板材（または透明板材）を有して構成されているので、建具外観デザインの統一感を高め、意匠性を向上させることができる。そして、前述のように上枠に換気経路を設けたことで、障子の内部に換気ガラリを設ける必要がなくなり、障子の框枠内略全体に渡る大きさでパネル材を配置することができ、面材収納部のパネル材と外観を統一して意匠性を向上させることができる。さらに、半透明板材（または透明板材）を用いたことで、浴室内に脱衣室側からの光を取り込むことができ、浴室の快適性を向上させることができる。
【発明を実施するための最良の形態】
【００１２】
以下、本発明の実施形態を図面に基づいて説明する。
図１は、本実施形態の浴室出入り口用の建具である片引き戸１を示す横断面図である。図２および図３は、片引き戸１を示す縦断面図であり、図２は、図１に矢視II−II線で示す断面図であり、図３は、図１に矢視III−III線で示す断面図である。
図１〜図３において、本実施形態の片引き戸１は、繊維強化プラスチック製の浴槽（不図示）や浴室床（防水パン）、浴室壁Ｗ等からなる浴室ユニットで構成された浴室と、この浴室に隣接して洗面台や洗濯パン等（不図示）が設置される脱衣室との出入り口に用いられる建具である。この片引き戸１は、上枠２、下枠３および左右の縦枠４を枠組みした枠体である建具枠５と、この建具枠５内部に片引き形式に開閉可能に支持された１枚の面材である障子１０とを備えて構成されている。建具枠５の上枠２、下枠３および縦枠４は、脱衣室の床材Ｆや額縁材Ｇ等の建物側支持部に固定されている。
【００１３】
障子１０は、上框１１、下框１２および左右の縦框１３，１４を四周框組みした障子枠１５に半透明板材（または透明板材）である樹脂パネル１６を嵌めこんで構成されている。そして、一方（図１の左側）の縦框１３（戸先框）には、障子１０を開閉操作するためのハンドル１７が固定されている。このような障子１０は、上枠２に設けられた上レール２Ａと下枠３に設けられた下レール３Ａとに、それぞれ上框１１と下框１２の戸車とが案内されて左右にスライド開閉できるようになっている。また、樹脂パネル１６は、障子１０の障子枠１５内略全体に渡る大きさで配置されており、この障子１０は、その内部に換気ガラリや中桟等を有さずに構成されている。
【００１４】
建具枠５には、上枠２と下枠３とに渡って上下に延びる縦骨６が架設され、上枠２は、後述するように互いに上下に離隔して配置される第１上枠２１と第２上枠２２とを有して構成されている。従って、建具枠５を浴室側または脱衣室側から見た場合に、建具枠５は、上下左右の４つの領域に区切られている。すなわち、建具枠５には、一方（図１の左側）の縦枠４、下枠３、縦骨６および第２上枠２２で囲まれた第１下部領域５Ａと、他方（図１の右側）の縦枠４、下枠３、縦骨６および第２上枠２２で囲まれた第２下部領域５Ｂと、一方の縦枠４、第２上枠２２、縦骨６および第１上枠２１で囲まれた第１上部領域５Ｃと、他方の縦枠４、第２上枠２２、縦骨６および第１上枠２１で囲まれた第２上部領域５Ｄとが形成されている。
【００１５】
第１下部領域５Ａは、障子１０を閉じることで閉鎖されるとともに、障子１０を開放した際に出入り用開口部として利用可能になっている。
第２下部領域５Ｂには、浴室と脱衣室とを仕切るパネル材としての間仕切り７が設けられるとともに、この間仕切り７よりも脱衣室側が開放した障子１０を収納する面材収納部として利用可能になっている。間仕切り７は、上枠２に取り付けられたパネル保持材７１および下枠３に取り付けられたパネル保持材７２と、図１における右側の縦枠４および縦骨６に設けられたパネル保持部４Ａ，６Ａと、これらのパネル保持材７１，７２およびパネル保持部４Ａ，６Ａに保持される半透明板材（または透明板材）である樹脂パネル７３とで構成されている。樹脂パネル７３は、障子１０の樹脂パネル１６と同一の材料から形成され、第２下部領域５Ｂの略全体を覆って配置されている。
【００１６】
次に、建具枠５における上枠２の構造について、図４および図５も参照して詳しく説明する。ここで、図４は、第１上部領域５Ｃ側における上枠２周辺を拡大して示す縦断面図であり、図５は、第２上部領域５Ｄ側における上枠２周辺を拡大して示す縦断面図である。
上枠２は、建物側支持部である額縁材Ｇに支持される第１上枠２１と、この第１上枠２１との間に隙間を介して設けられた第２上枠２２と、第１上枠２１の浴室側略全長に沿って取り付けられた第３上枠２３とを有して構成されている。
【００１７】
第１上枠２１は、アルミ形材製の一体成形部材であり、額縁材Ｇに固定される固定片部２１１と、この固定片部２１１から浴室側に延びる見込み片部２１２と、固定片部２１１と見込み片部２１２との境界部分に下方に開口して形成されたポケット２１３とを有して形成されている。さらに、第１上枠２１における見込み片部２１２の浴室側端部には、第３上枠２３を係止する２つの係止片２１４が形成され、見込み片２１２の下面には、パネル保持材７１の閉塞片７１３（後述）を係止する係止片２１５が形成されている。
【００１８】
第２上枠２２は、アルミ形材製の一体成形部材であり、第１上枠２１の見込み片部２１２下方に対向する上面部２２１と、上面部２２１の下方に対向する下面部２２２と、脱衣室側に位置する脱衣室側側面部２２３と、浴室側に位置する浴室側側面部２２４とを有して形成されている。そして、前記上レール２Ａは、下面部２２２から下方に延びて形成され、浴室側側面部２２４の下側には、障子１０の上框１１に摺接する気密材２Ｂを保持する気密材保持部２２５が形成されている。また、脱衣室側側面部２２３の上側には、上面部２２１よりも上方に突出した鉤型の突出片部２２６が形成されている。
【００１９】
第３上枠２３は、アルミ形材製の一体成形部材で、第１上枠２１の係止片２１４に係止されて取り付けられるアタッチメントであり、脱衣室側に開口した断面略Ｃ字形の第３上枠本体２３１と、この第３上枠本体２３１から下方に延びて第２上枠２２の浴室側側面部２２４に所定の隙間を介して対向する垂下片２３２とを有して形成されている。
以上の上枠２において、前記第１上部領域５Ｃでは、図４に示すように、第１上枠２１の見込み片部２１２と第２上枠２２と上面部２２１との間、および第３上枠２３の垂下片２３２と第２上枠２２の浴室側側面部２２４との間に、浴室と脱衣室とを連通させて浴室を換気するための換気経路２４が形成されている。
【００２０】
換気経路２４の脱衣室側開口２４１は、第１上枠２１の固定片部２１１下面と第２上枠２２の突出片部２２６上面との間に形成され、この脱衣室側開口２４１は、第１上枠２１のポケット２１３に回動自在に支持された換気弁２５によって開閉されるようになっている。この換気弁２５は、脱衣室と浴室との気圧差によって開閉するもので、つまり脱衣室と浴室との気圧差がない場合には、換気弁２５の下端部が突出片部２２６に当接して脱衣室側開口２４１が閉鎖されるように構成されている。一方、浴室で排気ファンを駆動して浴室の気圧が下がった場合には、換気弁２５の下端部が浴室側に回動して脱衣室側開口２４１が開放されるように構成されている。また、換気経路２４の浴室側開口２４２は、第３上枠２３の垂下片２３２下端部と第２上枠２２の浴室側側面部２２４との間に、下方に開口して形成されている。すなわち、換気経路２４は、脱衣室側から略水平に浴室側に延びた先が下方に折れ曲がって形成されている。
【００２１】
一方、前記第２上部領域５Ｄでは、図５に示すように、第１上枠２１のポケット２１３と第２上枠２２の突出片部２２６とに渡って、アルミ形材製の閉鎖部材２６が係止されているとともに、パネル保持材７１の閉塞片７１３が第１上枠２１の係止片２１５に係止されることで、浴室と脱衣室とが連通されないようになっている。ここで、パネル保持材７１は、下方に開口して樹脂パネル７３の上端縁を保持するパネル保持部７１１と、第２上枠２２の気密材保持部２２５に係止される被係止部７１２と、パネル保持部７１１から上方に延びて第１上枠２１の係止片２１５に係止される閉塞片７１３とを有して形成されている。従って、第２上部領域５Ｄの浴室側がパネル保持材７１の閉塞片７１３で塞がれるようになっており、すなわちパネル保持材７１で本発明の第２保持部材が構成されている。
【００２２】
また、図４に示すように、縦骨６は、その上端部が第１上枠２１を上方から貫通するビス２１Ａによって第１上枠２１に連結されるとともに、第２上枠２２の中間部が浴室側から縦骨６を貫通するビス２２Ａで縦骨６に連結されている。つまり、縦骨６の浴室側側面には、ビス２２Ａを挿通させる挿通孔（不図示）が形成され、この挿通孔から挿通されたビス２２Ａが縦骨６の脱衣室側側面を貫通して第２上枠２２の浴室側側面部２２４に螺合されることで、縦骨６と第２上枠２２とが連結される。そして、縦骨６の浴室側側面に設けられた挿通孔には、閉塞部材であるキャップ６Ｂが取り付けられ、このキャップ６Ｂにより挿通孔が閉塞されるようになっている。さらに、キャップ６Ｂは、その浴室側が第３上枠２３の垂下片２３２で覆われている。
【００２３】
なお、前述の上枠２では、第１上部領域５Ｃに換気経路２４を形成し、第２上部領域５Ｄを閉鎖部材２６およびパネル保持材７１の閉塞片７１３で塞いだが、以下の図６に示すように、第１上部領域５Ｃおよび第２上部領域５Ｄの両方に換気経路２４を形成してもよい。
すなわち、図６において、間仕切り７の樹脂パネル７３の上端縁は、パネル保持材７４で保持されており、このパネル保持材７４は、下方に開口して樹脂パネル７３の上端縁を保持するパネル保持部７４１と、第２上枠２２に係止される２つの被係止部７４２，７４３とを有して形成されており、前記パネル保持材７１の閉塞片７１３が省略されたパネル保持材７１で本発明の第１保持部材が構成されている。そして、第２上枠２２には、パネル保持材７４の被係止部７４２を係止する前記気密材保持部２２５に加えて、被係止部７４２を係止する係止部２２７が形成されている。また、第１上枠２１において、前記係止片２１５が省略されている。さらに、第３上枠２３において、垂下片２３２が浴室側に寄せて形成されており、この垂下片２３２とパネル保持材７４との間に換気経路２４の浴室側開口２４２が形成されている。また、換気経路２４の脱衣室側開口２４１において、第１上枠２１のポケット２１３に換気弁２５が回動開閉自在に支持されている。
【００２４】
このような本実施形態によれば、以下のような効果がある。
（１）すなわち、第１上枠２１と第２上枠２２との隙間で構成される第１上部領域５Ｃおよび第２上部領域５Ｄのうちの少なくとも一方に換気経路２４が形成されるので、上枠２の位置において浴室と脱衣室との換気を実施することができ、浴室に取り込んだ空気が利用者に直接当たることを防止して快適性を確保することができる。そして、必要に応じて図６に示すように第１上部領域５Ｃおよび第２上部領域５Ｄの両方に換気経路２４を形成すれば、上枠２の長手方向略全長を利用して換気することができ、容易に換気効率を高めることができる。さらに、上枠２の位置に換気経路２４が設けられるので、縦枠４や障子１０下部に換気経路を形成した場合と比較して浴室内の水がかかる可能性が低くなり、換気経路２４の内部構造が単純化でき、換気効率を一層向上させることができる。
【００２５】
（２）また、縦骨６の上端部が第１上枠２１に固定されるとともに、縦骨６に第２上枠２２の中間部が連結されているので、第２上枠２２の強度および剛性を確保することができ、障子１０を安定して案内することができるとともに、間仕切り７を確実に支持することができる。さらに、縦骨６の挿通孔を介したビス２２Ａで縦骨６と第２上枠２２とが浴室側から固定されるのでで、建具枠５の組み立ておよび建て込み作業が容易にでき、作業性を向上させることができる。そして、ビス２２Ａを挿通させる挿通孔がキャップ６Ｂで閉塞されるので、止水性を確保することができるとともに、このキャップ６Ｂが第３上枠２３の垂下片２３２で覆われるので、意匠性を良好にすることができる。
【００２６】
（３）また、第３上枠２３の垂下片２３２によって、換気経路２４の浴室側開口２４２が下向きに形成されるので、浴室側に取り込む空気が下向きに流入して利用者に直接当たらないようにでき、快適性をさらに向上させることができる。また、浴室側開口２４２が下向きに形成されることで、浴室側から見た場合に換気経路２４が垂下片２３２によって覆われることになり、換気経路２４への水の浸入が防止できるとともに、利用者から換気経路２４が見えないことで意匠性がさらに良好にできる。
【００２７】
（４）また、第１保持部材であるパネル保持材７４または第２保持部材であるパネル保持材７１のいずれかを選択するだけで、第２上部領域５Ｄを換気経路２４として利用するか否かの設計変更に容易に対応することができる。
【００２８】
（５）さらに、障子１０の樹脂パネル１６および間仕切り７の樹脂パネル７３が同一材料からなる半透明板材で構成されているので、片引き戸１の外観デザインの統一感を高め、意匠性を向上させることができる。そして、上枠２に換気経路２４が設けられているので、障子１０の内部に換気ガラリ等を設ける必要がなくなり、障子１０の樹脂パネル１６を障子枠１５内略全体に渡る大きさとすることができ、間仕切り７の樹脂パネル７３と外観を統一して意匠性をさらに向上させることができる。また、樹脂パネル１６，７３に半透明板材を用いたことで、浴室内に脱衣室側からの光を取り込むことができ、浴室の快適性を向上させることができる。
【００２９】
なお、本発明は前記実施形態の構成に限定されるものではない。
例えば、前記実施形態では、浴室出入り口用の建具として、片引き戸１を例示して説明したが、本発明の建具は、１枚の面材（障子）を有したものに限らず、２枚以上の面材が片引き形式に開閉自在に支持されたものでもよく、２枚の面材が各々逆方向に片引き形式に支持されて左右両側に面材収納部が形成された引き分け開放形式のものでもよい。
【００３０】
また、前記実施形態では、第１上部領域５Ｃに換気経路２４を形成し、第２上部領域５Ｄを閉鎖した例（図１〜図５）と、第１上部領域５Ｃおよび第２上部領域５Ｄの両方に換気経路２４を形成した例（図６）とを示したが、第２上部領域５Ｄに換気経路２４を形成し、第１上部領域５Ｄを閉鎖してもよい。この場合には、第１上部領域５Ｄにおける第２上枠２２に、前記閉塞片７１３と同様の機能を有した部材を取り付けるようにしてもよいし、閉塞片７１３と同様の片を第２上枠２２や第３上枠２３に形成してもよい。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の浴室出入り口用の建具を示す横断面図である。
【図２】前記建具を示す縦断面図であり、図１に矢視II−II線で示す断面図である。
【図３】前記建具を示す縦断面図であり、図１に矢視III−III線で示す断面図である。
【図４】前記建具における図２の上枠周辺を拡大して示す縦断面図である。
【図５】前記建具における図３の上枠周辺を拡大して示す縦断面図である。
【図６】前記上枠の変形例を示す縦断面図である。
【符号の説明】
【００３３】
１…建具である片引き戸、２…上枠、３…下枠、４…縦枠、５…枠体である建具枠、５Ａ…第１下部領域、５Ｂ…第２下部領域、５Ｃ…第１上部領域、５Ｄ…第２上部領域、６…縦骨、６Ｂ…閉塞部材であるキャップ、７…パネル材である間仕切り、１０…面材である障子、１１…上框、１２…下框、１３，１４…縦框、１５…障子枠、１６…半透明板材である樹脂パネル、２１…第１上枠、２２…第２上枠、２２Ａ…ビス、２３…第３上枠、２４…換気経路、７１…第２保持部材、７３…半透明板材である樹脂パネル、７４…第１保持部材、２３２…垂下片、２４２…浴室側開口、７１１，７４１…パネル保持部、７１２，７４２，７４３…被係止部、７１３…閉塞片。
【図１】
2008231664.tif 000003
【図２】
2008231664.tif 000004
【図３】
2008231664.tif 000005
【図４】
2008231664.tif 000006
【図５】
2008231664.tif 000007
【図６】
2008231664.tif 000008